(57)【特許請求の範囲】
【請求項１】
複数の開閉部材と、前記複数の開閉部材を前後で挟む二本の開閉端部材とが、前記開閉部材と前記開閉端部材の基端部を貫通する支軸を介して軸支され、互いに隣接する前記開閉部材同士の開きを所定の角度に制限する位置決め部材を有した衝立において、
前記二本の開閉端部材には、前記開閉端部材同士が対向する面に対して直角に位置して、前記開閉部材の長手方向の一対の端面を覆う基板部分が各々一体に設けられ、
前記二本の開閉端部材が前記支軸を中心に全体が互いに開かれた状態で、前記開閉部材及び開閉端部材が前記基板部分に支持されて自立することを特徴とする衝立。
【請求項２】
前記支軸は、前記開閉部材および前記開閉端部材の各基端部の幅方向の中心位置に設けられ、前記開閉部材および前記開閉端部材の基端部は、前記支軸を中心として、前記開閉部材および前記開閉端部材の幅の１／２の半径の半円状にアール加工されていることを特徴とする請求項１記載の衝立。
【請求項３】
前記開閉部材と前記開閉端部材が折り畳まれた状態で、前記複数の開閉部材はその長手方向側縁部全長に亘って、前記基板部分によって覆われることを特徴とする請求項１または２記載の衝立。
【発明の詳細な説明】
【技術分野】
【０００１】
この発明は、室内外の装飾や仕切り等として用いられる折り畳み式の衝立に関する。
【背景技術】
【０００２】
室内に立てて部屋を仕切ったり目隠しするときに用いられる衝立には、衝立を使用しないときに目隠しの部分を折り畳むことができるものがある。例えば、特許文献１に開示されている衝立は、台板上に二本のポールの下端部が左右方向に回動可能に立設され、その二本のポールの間にプリーツ（折りひだ）が架設された構造を備え、使用時には二本のポールの上端部を左右に傾倒させてプリーツを広げて目隠し用の膜を作り、不使用時には二本のポールを起立させてプリーツを折り畳むことができる衝立である。
【特許文献１】特開２００４−３３２２０８号公報
【発明の開示】
【発明が解決しようとする課題】
【０００３】
しかし、特許文献１の衝立は、安定に立てておくための台板と、その台板とポールやプリーツの特殊な連結構造等を必要とし、複雑な構造で、コストのかかるものとなっている。さらに、二本のポールやプリーツの重量がポール受金具等の支持部材に局部集中する構造であるため、材料コストが掛かり、構造上耐久性にも問題があった。すなわち、ポールやプリーツの重量が増すと、振動や衝撃で破損し易くなるため、例えば、目隠し用の膜の面積をあまり広くすることができなかった。また、ポールやプリーツは比較的軽量の素材を選択しなければならないため、デザイン性や装飾性を高めるための工夫が制限され、例えば、比較的重量のある木製・金属製の装飾用パーツ等を多用することができなかった。
【０００４】
この発明は、上記背景技術に鑑みてなされたものであり、不使用時にはコンパクトに折り畳むことができ、使用時には専用の台座等がなくとも自立可能で、デザイン性に富んだ装飾などを施すことが可能な衝立を提供することを目的とする。
【課題を解決するための手段】
【０００５】
この発明は、複数の開閉部材と、前記複数の開閉部材を前後で挟む二本の開閉端部材とが、前記開閉部材と前記開閉端部材の基端部を貫通する支軸を介して軸支され、互いに隣接する前記開閉部材同士の開きを所定の角度に制限する位置決め部材を有した衝立であって、前記二本の開閉端部材には、前記開閉端部材同士が対向する面に対して直角に位置して、前記開閉部材の長手方向に沿った一対の端面を覆う基板部分が各々一体に設けられ、前記二本の開閉端部材が前記支軸を中心に全体が互いに開かれた状態で、前記開閉部材及び開閉端部材が前記基板部分に支持されて自立する衝立である。
【０００６】
前記支軸は、前記開閉部材および前記開閉端部材の各基端部の幅方向の中心位置に設けられ、前記開閉部材および前記開閉端部材の基端部は、前記支軸を中心として、前記開閉部材および前記開閉端部材の幅の１／２の半径の半円状に形成された寸法にアール加工されているものである。
【０００７】
さらに、前記開閉部材と前記開閉端部材が折り畳まれた状態で、前記複数の開閉部材はその長手方向側縁部全長に亘って、前記基板部分によって覆われるものである。
【発明の効果】
【０００８】
この発明の衝立によれば、従来のように、支持部材等の特定の部材として格別に耐久性の高い金属材料等を選定する必要性はなく、また、目隠し部分の軽量化のための一定の制約を緩和することができるので、構成部材の素材や大きさの設定について自由度が増し、木材、金属、プラスチックやその他の樹脂、紙などの素材を自由に選択し、デザイン性や装飾性に優れた衝立にすることができる。
【０００９】
また、開閉する部分を支持するための台座を別個に用意する必要がない。しかも、比較的大型の衝立であっても、一人で簡単に組み立てたり折り畳むことができる。
【００１０】
さらに、折り畳むと非常にコンパクトな形状になるため、持ち運びが容易で、収納場所もとらない。また、組み立てられたときに台座の機能を果たす基板部分が、折り畳まれたときに開閉部材等の長手方向側縁部を被覆するケースとして内部を保護するので、持ち運び等するときに内部を傷つけにくく、安全である。
【発明を実施するための最良の形態】
【００１１】
以下、この発明の一実施形態について、図１〜図４に基づいて説明する。この実施形態の衝立１０は、扇子のように開閉可能な折り畳み式の衝立であり、２２枚の同一形状の開閉部材１２と、開閉部材１２と同一形状であって開閉部材１２を前後で挟む２枚の開閉端部材１４，１６を備えている。開閉部材１２は、図２（ａ）に示すように、略長方形の木製の板状の枠部材の内側の部分に、図示しない装飾用の格子や透かし彫りや組子などが設けられ、目隠しや飾りの他、採光や通風のための働きを兼ね備えている。また、開閉部材１２の長手方向の基端部１２ｃには、短辺の長さの１／２の半径の半円状に形成されたアール加工部分１２ｂが設けられ、アール加工部分１２ｂを形成する円の中心位置には、支軸１８が挿通される貫通孔１２ａが形成されている。
【００１２】
複数の開閉部材１２の一方の端に隣接した開閉端部材１４は、図２（ｂ）に示すように、開閉部材１２と同一外形を有する略長方形の木製の板状の枠部材であり、その内側には開閉部材１２と同様の図示しない装飾等が施されている。開閉部材１２と同様の基端部１４ｃには、貫通孔１４ａとアール加工部１４ｂが設けられている。さらに、開閉端部材１４の一方の長辺に沿った端面には、開閉端部材１４の表面と直交するように、基板部分２０が取り付けられている。基板部分２０は、略長方形の木製の板であって、長辺の長さは、開閉端部材１４の先端部１４ｄから基端部１４ｃの貫通孔１４ａまでの長さと等しい。同様に、開閉部材１２の他方の端部にある開閉端部材１６も、開閉部材１２と同一外形を有する略長方形の木製の枠部材であり、開閉部材１２と同様に先端部１６ｃに、貫通孔１６ａとアール加工部１６ｂが設けられている。さらに、開閉端部材１６の一方の長辺から連続する側端面にも、略長方形の基板部分２２が設けられている。基板部分２２の長辺の長さも、開閉端部材１６の端面に沿って基端部１６ｃの貫通孔１６ａから先端部１６ｄまでの長さに等しく、開閉端部材１６の表面と直交するように取り付けられている。
【００１３】
ここで、基板部分２０，２２の短辺の幅は、２２枚の開閉部材１２と２枚の開閉端部材１４，１６の各厚みを合計した値にほぼ等しく設定されている。さらに、開閉端部材１６と基板部分２２が一体となった構造は、図２（ｃ）に示すように、開閉端部材１４と基板部分２０が一体となった図２（ｂ）の構造と同一のものである。
【００１４】
そして、２２枚の開閉部材１２は、開閉端部材１４の裏面１４ｅと開閉端部材１６の表面１６ｅで挟まれ、貫通孔１２ａ，１４ａ，１６ａには金属製の支軸１８が挿通され、各部材が独立して回動できる状態に軸支されている。そして、外部に露出する支軸１８の両端部分には、装飾性のあるキャップ２４が被せられている。
【００１５】
互いに隣接する開閉端部材１４，１６と開閉部材１２、および、隣接する開閉部材１２同士は、開いた状態で互いに所定の角度で止まるように、位置決め部材位置決め部材２６によって各々連結されている。各位置決め部材２６は、所定の長さに切り揃えられた装飾性のある軟らかい紐であって、位置決め部材２６の両端部は、開閉端部材１４，１６の先端部１４ｄ，１６ｄの端面中央部に各々固着されている。
【００１６】
従って、位置決め部材２６により連結され互いに隣り合う開閉部材１２同士の広がりの角度は、図１に示すように、２２枚の開閉部材１２と開閉端部材１４，１６の計２４枚の部材により、１８０°開いた扇状に形成される。各部材の先端部１２ｄ，１４ｄ，１６ｄの中心間の間隔は、ほぼ各部材の短辺の長さより僅かに短く設定される。また、位置決め部材２６の長さは、図１に示す扇状の半円弧の長さにほぼ等しく設定すればよい。これにより、図１に示すように、開閉端部材１４と開閉端部材１６が略１８０°に広げられたとき、２２枚の開閉部材１２が互いに均等な角度開いて順番に配置され、前後方向に隙間が生じない状態になる。
【００１７】
以上のように構成された衝立１０が組み立てられると、図１に示すように、２２枚の開閉部材１２と開閉端部材１４，１６が扇型に配置された目隠し部分が基板部分２０，２２の上方に形成され、基板部分２０，２２は、外側の面が床に当接し、上記目隠し部分を安定に支持する。
【００１８】
次に、一般的な大きさの衝立１０を折り畳むときの動作について、図３に基づいて説明する。折り畳む人は、図３（ａ）（ｂ）に示すように、基板部分２０を両手で持ち上げ、基板部分２０を持って、開閉端部材１４と開閉端部材１６とが前後に重なる角度まで折り畳む。すると、この基板部分２０を折り畳む動作の中で、基板部分２０が支軸１８を軸として基板部分２２の方向に折り畳まれ、２２枚の開閉部材１２は順番に基板部分２０の内側面に当接しながら基板部分２０と共に移動し、基板部分２２の側に集められる。このとき、支軸１８側の基端部１２ｃ，１４ｃ，１６ｃ側の端面は、半径が基端部１２ｃ，１４ｃ，１６ｃの円弧の円の半径に等しいアール加工部分１２ｂ，１４ｂ，１６ｂが設けられているので、各部材が折り畳まれる動作は妨げられない。また、各部材を連結する位置決め部材２６は軟らかい紐であるため、これも、各部材の折り畳まれる動作を妨げない。
【００１９】
折り畳まれた衝立１０は、図４に示すように、ほぼ直方体のコンパクトな形態になる。開閉部材１２は、ほぼ同一外形の開閉端部材１４，１６に挟まれて前後方向にきれいに重なる。そして、重ねられた開閉部材１２の周囲は、開閉端部材１４，１６と基板部分２０，２２で囲まれ、保護される構造となる。
【００２０】
以上説明したように、この実施形態の衝立１０は、組み立てられたときに基板部分２０，２２が台座の働きをするので、台座等を別個に用意する必要がない。また、折り畳む人は、基板部分２０以外の部分を持って操作する必要がなく、一人でも容易に組み立てたり折り畳んだりすることができる。
【００２１】
さらに、折り畳むと非常にコンパクトな形状となるため持ち運び易く、また、収納場所もとらない。さらに、折り畳まれた状態で、基板部分２０，２２が開閉部材１２等の周囲を被覆し、ケースとして内部を保護するので、持ち運ぶ際にも内部を傷つけ難いので扱いやすい。
【００２２】
次に、本発明の衝立の他の実施形態を図５に基づいて説明する。この実施形態の衝立３０は、開閉部材１２の本数を１２本に減らし、さらに、位置決め部材２６と装飾を兼用し、開閉部材１２と開閉端部材１４，１６に貼り付けられた地紙３６を備えたものである。地紙３６は、開閉部材１２の先端から支軸１８の方向に所定の幅を有して貼着されたものである。
【００２３】
地紙３６は、図５に示すように、各開閉部材１２の両側に交互に折罫線３８，４０が設けられ、開閉部材１２又は開閉端部材１４，１６が貼り付けられる貼付部３６ａと、隣接する貼付部３６ａ同士の間を連結する連結部３６ｂとに区切られている。
【００２４】
衝立３０が組み立てられたとき、図５に示すように、１１枚の開閉部材１２は扇子を１８０°広げたような状態にほぼ均等な角度に配置される。そして、１１枚の開閉部材１２と開閉端部材１４，１６が扇型に配置されて、地紙３６から成る装飾や目隠し部分が、基板部分２０，２２の上方に形成される。基板部分２０，２２は、外側の面が床に当接し、開閉部材１２と地紙３６を下方から支持して自立させる。
【００２５】
衝立３０は、上記実施形態の衝立１０と同様に図３（ｂ）に示す要領で折り畳まれると、地紙１８は、折罫線３８で山折り、折罫線４０は谷折りされ、各連結部３６ｂは、両側に連続する２つの貼付部３６ａに挟まれるように互いに折り重なる。このとき、開閉端部材１４，１６の先端部１４ｄ，１６ｄの短辺の長さ、及び連結部３６ａの先端部分の幅、及び貼付部３６ｂの先端部分の幅は、いずれも等しく、連結部３６ａと貼付部３６ｂは、開閉端部材１４，１６により前後方向に挟まれてきれいに重なる。かつ、開閉端部材１４，１６と直交する他の一対の側面は、基板部分２０，２２で挟まれ、地紙３６の周囲が囲まれて保護される構造となる。そして、上記実施形態の衝立１０と同様に、ほぼ直方体のコンパクトな形態になる。
【００２６】
この実施形態の衝立３０によれば、衝立１０と同様に簡単に折り畳むことができ、一般的な扇子のように、優れた装飾性や趣を備えた衝立を実現することができる。
【００２７】
なお、この発明の衝立は、上記実施形態に限定されるものではない。例えば、位置決め部材は、紐状の部材に代えて、各開閉部材の所定位置に配置されたストッパと受け部でも良く、開閉部材が所定位置に開いてその状態を保持可能なものであればよい。開閉部材の形状は、自由に設定することができ、また、折り畳む動作に支障が生じない範囲で、表面に種々の装飾が施すことができる。
【００２８】
また、基板部分の形状は、衝立が折り畳まれたときに、開閉部材を完全に被覆することができる形状でなくてもよい。すなわち、基板部分は、組み立てられたときに目隠し部分を支持して自立させることができ、かつ、折り畳まれたときに開閉部材の強度が弱い箇所等を必要な限度で保護することができるものであればよい。
【００２９】
また、衝立が組み立てられた状態や折り畳まれた状態で、基板部分を金具等で固定する等の固定構造を付加してもよい。また、衝立の所定の部位に、折り畳まれた状態で持ち運ぶための持ち手などを取り付けてもよい。
【００３０】
さらに、この衝立の大きさや用途は適宜設定可能なものであり、仕切等として用いられるものの他、例えば、家具やテーブル等の上に置かれる観賞用の置物として使用されるような小型の衝立であってもよい。
【図面の簡単な説明】
【００３１】
【図１】この発明の一実施形態の衝立の組立状態を示す正面図である。
【図２】この実施形態の衝立を構成する開閉部材１２を示す斜視図（ａ）、開閉端部材１４および基板部分２０を示す斜視図（ｂ）、他の開閉端部材１６および基板部分２２を示す斜視図（ｃ）である。
【図３】この実施形態の衝立を折り畳む動作の途中の状態を示す正面図（ａ）、折り畳む動作が完了した状態を示す正面図（ｂ）である。
【図４】この実施形態の衝立が折り畳まれた状態を示す斜視図である。
【図５】この発明の他の実施形態の衝立の組立状態を示す正面図である。
【符号の説明】
【００３２】
１０，３０  衝立
１２  開閉部材
１４，１６  開閉端部材
１２ｂ，１４ｂ，１６ｂ  アール加工部分
１８  支軸
２０，２２  基板部分
２６  位置決め部材
【要約】
【課題】不使用時にはコンパクトに折り畳むことができ、使用時には専用の台座等がなくとも自立可能で、デザイン性に富んだ装飾などを施すことが可能な衝立を提供する
【解決手段】複数の開閉部材１２と、複数の開閉部材１２を前後で挟む二本の開閉端部材１４，１６とが、基端部を貫通する支軸１８を介して軸支されている。開閉端部材１４，１６は、開閉端部材１４，１６同士が対向する面に対して直角に位置して、開閉部材１２の長手方向の一対の端面を覆う基板部分２０，２２を各々一体に備える。二本の開閉端部材１４，１６が支軸１８を中心に全体が互いに開かれた状態で、開閉部材１２及び開閉端部材１４，１６が基板部分２０，２２に支持されて自立する。
【選択図】図１【図１】
0004191790.tif 000002
【図２】
0004191790.tif 000003
【図３】
0004191790.tif 000004
【図４】
0004191790.tif 000005
【図５】
0004191790.tif 000006